(57)【要約】 【課題】  この発明は、カーテンウォールの見込方向への突出量が小さく、施工が容易なカーテンウォールのパネルユニット連結構造を提供することを目的とする。【解決手段】  隣接する一方のパネルユニット３ＡのＨ形状竪枠５の竪枠中間壁１４に見付方向内側から外側にフック２５の受片２６が挿通するように設ける。他方のパネルユニット３Ｂの平板竪枠６にフック２５と掛止する引掛け切欠部３４を形成する。他方のパネルユニット３Ｂの平板竪枠６を一方のパネルユニット３ＡのＨ形状竪枠５内に見付方向から挿入し、フック２５に引掛け切欠部３４を掛止して連結してカーテンウォール１を構成する。【選択図】  図２
2005264426.tif 000002
【特許請求の範囲】
【請求項１】
一方のパネルユニットをファスナーで躯体に取り付け、その一方のパネルユニットに設けられた掛止部受に一方のパネルユニットに隣接する他方のパネルユニットに設けた掛止部を掛け止めしてなるカーテンウォールのパネルユニット連結構造において、一方のパネルユニットの他方のパネルユニット側の竪枠内に見付方向外側に向けて掛止部受を突設し、他方のパネルユニットの一方のパネルユニット側の竪枠に掛止部を設け、一方のパネルユニットの竪枠内へ向けて見付方向から他方のパネルユニットを挿入して掛止部を掛止部受に掛止することを特徴とするカーテンウォールのパネルユニット連結構造。
【請求項２】
掛止部受は、一方のパネルユニットの他方のパネルユニット側の竪枠中間壁の見付方向内側面に当接する当接部と、その竪枠中間壁に穿たれた長孔を挿通して見付方向外側に突出する受片とから構成されており、該当接部が竪枠中間壁に脱落防止ビスにより留められ、掛止部は他方のパネルユニットの一方のパネルユニット側の竪枠の見込方向部分を切り欠いた該受片に引掛け可能な引掛け切欠部に形成してあることを特徴とする請求項１記載のカーテンウォールのパネルユニット連結構造。
【請求項３】
引掛け切欠部は受片より長く縦方向に切り欠かれていることを特徴とする請求項２記載のカーテンウォールのパネルユニット連結構造。
【請求項４】
一方のパネルユニットの他方のパネルユニット側の竪枠は、屋外側壁とファスナーが連結される屋内側壁との間を竪枠中間壁で連結したＨ形状竪枠であり、他方のパネルユニットの一方のパネルユニット側の竪枠は平板から成る平板竪枠であり、Ｈ形状竪枠の見付方向外側の挿入溝に平板竪枠を入れ込むことを特徴とする請求項２または３記載のカーテンウォールのパネルユニット連結構造。
【発明の詳細な説明】
【技術分野】
【０００１】
この発明は、カーテンウォールのパネルユニットを躯体に取り付ける際のパネルユニットの連結構造に係るものである。
【背景技術】
【０００２】
建築物の躯体に取り付けられるカーテンウォールにおいて、竪枠と無目とを枠組みしてパネルを組み込んだ複数のパネルユニットをファスナーを介して躯体に取り付け、隣接する各パネルユニット同士を掛止部と掛止部受とを掛止して連結する構造のものがある。特許文献１では、隣接する一方のパネルユニットに設けたブラケットをファスナーを介して躯体に固定し、ブラケットの見込方向屋内側の受止部片に設けた切欠（掛止部受）に、隣接する他方のパネルユニットに設けたブラケットの見込方向屋内側の部片（掛止部）を掛止したものが開示されている。その各ブラケットはパネルユニットに２本のねじで取り付けられている。特許文献２では、縦材を介して躯体に取り付けられるパネルユニットの両側に見込方向室内側に延出するフック状の固定金具（掛止部）を設け、縦材の見込み方向室外側端部に固定金具が係合する固定金具受（掛止部受）を設け、隣接する各パネルユニットを縦材に、固定金具を固定金具受に掛け止めして連結したものが開示されている。該固定金具受４は、２つのビスを強く締め付けた反力により方立に強く押し付けて固定されており、該固定金具は板ばねの付勢力により竪框に止められており、施工時に夫々を位置決めしている。
【０００３】
上記特許文献１及び２のものでは、隣接するパネルユニット同士を連結する掛止部と掛止部受とを竪枠の見込方向屋内側で掛止しているため、見込方向幅が大きくなり、カーテンウォールの躯体からの突出量が大きい。また、特許文献１では各ブラケットがパネルユニットにねじだけで結合されているので弛み易い。特許文献２では、固定金具受と固定金具を位置決めするため、固定金具受はビスの反力で、固定金具は板ばねの付勢力で夫々固定されているので固定が弛み易い。
【特許文献１】特開平１０−４６７１８号公報
【特許文献２】特許第２８３２７８４号公報
【発明の開示】
【発明が解決しようとする課題】
【０００４】
この発明は、カーテンウォールの見込方向への突出量が小さく、施工が容易なカーテンウォールのパネルユニット連結構造を提供することを目的とする。
【課題を解決するための手段】
【０００５】
本発明は、一方のパネルユニットをファスナーで躯体に取り付け、その一方のパネルユニットに設けられた掛止部受に一方のパネルユニットに隣接する他方のパネルユニットに設けた掛止部を掛け止めしてなるカーテンウォールのパネルユニット連結構造において、一方のパネルユニットの他方のパネルユニット側の竪枠内に見付方向外側に向けて掛止部受を突設し、他方のパネルユニットの一方のパネルユニット側の竪枠に掛止部を設け、一方のパネルユニットの竪枠内へ向けて見付方向から他方のパネルユニットを挿入して掛止部を掛止部受に掛止することを特徴とする。
【０００６】
また、掛止部受は、一方のパネルユニットの他方のパネルユニット側の竪枠中間壁の見付方向内側面に当接する当接部と、その竪枠中間壁に穿たれた長孔を挿通して見付方向外側に突出する受片とから構成されており、該当接部が竪枠中間壁に脱落防止ビスにより留められ、掛止部は他方のパネルユニットの一方のパネルユニット側の竪枠の見込方向部分を切り欠いた該受片に引掛け可能な引掛け切欠部に形成してあることを特徴とする。
前記引掛け切欠部は受片より長く縦方向に切り欠かれていることを特徴とする。
【０００７】
一方のパネルユニットの他方のパネルユニット側の竪枠は、屋外側壁とファスナーが連結される屋内側壁との間を竪枠中間壁で連結したＨ形状竪枠であり、他方のパネルユニットの一方のパネルユニット側の竪枠は平板から成る平板竪枠であり、Ｈ形状竪枠の見付方向外側の挿入溝に平板竪枠を入れ込むことを特徴とする。
【発明の効果】
【０００８】
本願発明では、隣接するパネルユニットの一方のパネルユニットに他方のパネルユニットを見付方向から挿入し、一方のパネルユニットに設けたファスナーを介して躯体に取り付けられる掛止部受に他方のパネルユニットに設けた掛止部を見付方向で掛止して連結することでカーテンウォールを躯体に設けるので、躯体に対してカーテンウォールの見込方向への突出量が小さくなる。また、掛止部は掛止部受に掛止しているだけなので現場での組み付けが簡単にでき、施工時間を短くできる。そして、掛止部受は、竪枠中間壁の見付方向内面に当接部が当接した状態でビス止めされ、竪枠中間壁を貫通して見付方向外側に突出する受片により掛止部を掛止するので、隣接するパネルユニットの掛止状態で掛止部受は竪枠中間壁見付方向外側へ引かれて竪枠中間壁に押圧されるので固定が弛み難い。更に、掛止部である引掛け切欠部は、掛止部受の受片より長く縦方向に切り欠かれているので、施工時にパネルユニットをクレーン等で吊り上げて隣接するパネルユニットを連結する際の受片と引掛け切欠部との高さ位置の許容範囲が大きく、受片に引掛け切欠部を掛止し易い。更にまた、掛止部が形成される竪枠は平板なので引張力に強く好適である。
【実施例】
【０００９】
本願発明のカーテンウォールについて図１〜図７に基づいて説明する。カーテンウォール１は、図１に示すように、建築物の躯体２に隣接する複数のパネルユニット３を連結してファスナー４を介して取り付けて構成されている。各パネルユニット３は、図４に示すように、竪枠５，６間に複数の無目７を上下方向に間隔をあけて枠組みし、図１〜図３に示すように各竪枠５，６の内側にパネル支持竪材８，９を図示しないビスによりビス止めし、パネル支持竪材８，９と無目７との間にガラスや金属パネル等のパネル（外装材）１０を配置して構成されている。１１は、パネル１０を配置する際に取り外され、配置されたパネル１０を押さえる押縁である。
【００１０】
図４においてパネルユニット３の右側の竪枠５は、図３に示すように、屋外側壁１２と屋内側壁１３との間を竪枠中間壁１４で連結したＨ形状竪枠となっている。屋内側壁１３の見込方向屋内側には取付基部１５が突設されており、取付基部１５の取付溝１６内にボルト１７がボルト取付ブロック１８を介して挿入され、ボルト１７によってＨ形状竪枠５とファスナー４とが螺着固定されている。また、屋内側壁１３の見込方向屋外側には、気密パッキン１９，２０が取付けられるパッキン取付溝２１，２２が竪枠中間壁１４を挟んで左右に形成されている。屋外側壁１２には、上下のパネルユニット３を連結する連結ピン２３を嵌め込むピン嵌入孔２４が形成されている。竪枠中間壁１４には、掛止部受であるフック２５の受片２６を挿通する見込方向１対の長孔２７がＨ形状竪枠５の長さに応じて縦方向に１個所以上（本願実施例では１箇所）穿設されている。
【００１１】
この長孔２７に図１〜図３に示すように断面Ｕ形状のフック２５の受片２６がＨ形状竪枠５の見付方向内側から外側へ挿通し、当接部２８が竪枠中間壁１４の見付方向内側面２９に当接し、落下防止用ビス３０によってフック２５が竪枠中間壁１４に螺着されて見付方向内側への落下が防止されている。また、受片２６の先端には突起３１が立設されている。このフック２５が設けられたＨ形状竪枠５の見付方向内側にパネル１０を支持するフックに対応する部分を切り欠いたパネル支持竪材８がビス止めされる。パネル支持竪材８は、パネル支持竪材８とＨ形状竪枠５間に装入された気密パッキン１９と勝ち込みゴム３３とに圧接して気密パッキン１９と勝ち込みゴム３３夫々がウィンドウバリヤとレインバリヤとして機能し高気密、高水密が得られるようになっている。
【００１２】
図４においてパネルユニット３の左側の竪枠６は平板から成る平板竪枠であり、図１に示すように、見込方向両端部分が切り欠かれ前記フック２５の受片２６に引掛け可能な引掛け切欠部３４に形成されている。この引掛け切欠部３４は、フック２５の縦方向長さより長く形成されており、躯体２にパネルユニット３を取付ける際、隣接するパネルユニット３の一方のパネルユニット３にクレーン等で吊り上げた他方のパネルユニット３を連結するときに受片２６と引掛け切欠部３４との掛止が簡単にできるように引掛け切欠部３４の長さに余裕を持たせてある。この平板竪枠６の見付方向内側には、引掛け切欠部３４に対応する部分を切り除いたパネル支持竪材９が図示しないビスによりビス止めされている。
【００１３】
次に、隣接するパネルユニット３の連結取付けについて説明する。尚、図６、図７において他方のパネルユニット３のＨ形状竪枠５は省略した。先ず、隣接する一方のパネルユニット３がその隣のパネルユニット３と連結され、下側のパネルユニット３と連結ピン２３がピン嵌入孔２４に嵌入されて上下で連結され、躯体２にファスナー４を介して取り付けられているとする。この躯体２に取り付けられた一方（図５において左側）のパネルユニット３（３Ａ）に隣接する他方（図５において右側）のパネルユニット３（３Ｂ）を引掛け切欠部３４とフック２５とが対応する位置までクレーン等で吊り上げる。次に、一方のパネルユニット３ＡのＨ形状竪枠５の挿入溝３５内に見付方向外側すなわち図６において右側から他方のパネルユニット３Ｂの平板竪枠６を入れ込み、引掛け切欠部３４に受片２６を通す。次に、他方のパネルユニット３Ｂを引掛け切欠部３４とフック２５とが当たるまで下げ、受片２６に引掛け切欠部３４を掛止する（図７）。
【００１４】
他方のパネルユニット３ＢのＨ形状竪枠５は、図７の如く、下側のパネルユニット３と連結ピン２３で連結され、躯体２にファスナー４を介して固着される。次に、一方のパネルユニット３ＡのＨ形状竪枠５と他方のパネルユニット３Ｂの平板竪枠６側のパネル支持竪材９との間に勝ち込みゴム３３が装着されると共に、一方のパネルユニット３ＡのＨ形状竪枠５に設けられた気密パッキン３２に他方のパネルユニット３Ｂの平板竪枠６側のパネル支持竪材９が密着し、隣接するパネルユニット３が水密及び気密に連結される。そして、一方のパネルユニット３Ａと他方のパネルユニット３Ｂ及び下側のパネルユニット３との連結部分にシーリング材３６が充填される（図２）。これを繰り返してパネルユニット３を順次連結していくことで躯体２にカーテンウォール１が設けられる。尚、３７はシーリング材３６を受けるシーリング止めである。
【図面の簡単な説明】
【００１５】
【図１】本願発明のパネルユニットの連結構造を示す縦断面図である。
【図２】パネルユニットの連結構造を示す正面図である。
【図３】図２のＩＩＩ−ＩＩＩ線断面図である。
【図４】パネルユニットの縦枠と無目との枠組みを示す斜視図である。
【図５】パネルユニットの連結を示す説明図である。
【図６】一方のパネルユニットの縦枠への他方のパネルユニットの縦枠の挿入を示す説明図である。
【図７】一方のパネルユニットの縦枠と他方のパネルユニットの縦枠の掛止を示す説明図である。
【符号の説明】
【００１６】
１  カーテンウォール
２  躯体
３  パネルユニット
４  ファスナー
５  竪枠（Ｈ形状竪枠）
６  竪枠（平板竪枠）
１２  室外側壁
１３  室内側壁
１４  竪枠中間壁
２５  掛止部受（フック）
２６  受片
２７  長孔
２８  当接部
２９  見付方向内側面
３０  脱落防止ビス
３４  掛止部（引掛け切欠部）
３５  挿入溝
【図１】
2005264426.tif 000003
【図２】
2005264426.tif 000004
【図３】
2005264426.tif 000005
【図４】
2005264426.tif 000006
【図５】
2005264426.tif 000007
【図６】
2005264426.tif 000008
【図７】
2005264426.tif 000009